(57)【要約】【課題】データベースに転送された医用画像を医用情報表示装置でリスト表示する際の並び順を、モダリティで定義した並び順に一致させることができる医用情報表示装置、医用情報供給装置および医用情報表示システムを提供する。【解決手段】実施形態に係る医用情報表示装置は、取得部と、リスト生成部とを備える。取得部は、医用情報のリストの並び順が示された並び順情報と、医用情報とを取得する。リスト生成部は、取得した医用情報と並び順情報に基づいて医用情報のリストを生成し、当該医用情報のリストを表示部に表示させる。【選択図】  図１
2020009313.tif 000002
【特許請求の範囲】
【請求項１】
医用情報のリストの並び順が示された並び順情報と、前記医用情報とを取得する取得部と、
取得した前記並び順情報と前記医用情報とに基づいて前記医用情報のリストを生成し、当該医用情報のリストを表示部に表示させるリスト生成部と、
を備えた医用情報表示装置。
【請求項２】
前記並び順情報は、
前記リストに含まれる複数の医用情報と当該複数の医用情報のそれぞれの並び順位と、が関連付けられた情報であり、
前記リスト生成部は、
取得した前記医用情報を当該医用情報の並び順位が示された表示枠に配置することにより、前記医用情報のリストを生成する、
請求項１記載の医用情報表示装置。
【請求項３】
前記医用情報は、
医用情報供給装置で生成されてデータベースに保管された医用画像について、前記医用画像を示す情報、または前記医用画像が属するシリーズを示す情報、または前記医用画像が属する検査を示す情報であり、
前記並び順情報は、
前記医用情報供給装置で生成される、
請求項１または２に記載の医用情報表示装置。
【請求項４】
前記医用情報供給装置は、
前記複数の医用画像を前記データベースに転送開始するとともに、またはその前に、前記並び順情報を前記データベースに転送し、
前記リスト生成部は、
前記医用情報供給装置により前記複数の医用画像が前記データベースに転送開始され、かつ前記並び順情報が前記取得部により取得されると、前記並び順情報に従って前記リストを生成して前記表示部に表示させる、
請求項３記載の医用情報表示装置。
【請求項５】
前記リスト生成部は、
前記リストの前記医用情報と当該医用情報が配置された表示枠との少なくとも一方を、当該医用画像を前記データベースが前記医用情報供給装置から受信中か、受信済みか、または未受信かのいずれの受信状況にあるかを識別可能な態様で表示する、
請求項４記載の医用情報表示装置。
【請求項６】
前記リスト生成部は、
前記リストに表示された前記医用情報のうち、未受信の医用情報がユーザにより入力部を介して選択されると、選択された未受信の医用情報に対応する医用画像の前記データベースへの転送の順番を早めるよう前記医用情報供給装置に指示する、
請求項５記載の医用情報表示装置。
【請求項７】
前記並び順情報は、
前記医用情報供給装置により前記複数の医用画像と同一リストに表示すべき新たな医用画像が生成されると、前記医用情報供給装置により、前記新たな医用画像を含む新たな並び順を規定するよう更新されて前記データベースに転送される、
請求項３ないし６のいずれか１項に記載の医用情報表示装置。
【請求項８】
前記並び順情報は、
前記複数の医用画像を構成する医用画像が前記医用情報供給装置の記憶部から削除されると、前記医用情報供給装置により、その旨の情報が付加されて前記データベースに転送され、
前記リスト生成部は、
前記並び順情報にもとづいて、前記その旨の情報を前記リストに重畳表示する、
請求項３ないし７のいずれか１項に記載の医用情報表示装置。
【請求項９】
前記並び順情報は、
前記医用情報供給装置により、ＤＩＣＯＭ規格に準拠したタグとして前記複数の医用画像のそれぞれに付加されて前記データベースに転送される、
請求項３ないし８のいずれか１項に記載の医用情報表示装置。
【請求項１０】
前記複数の医用画像のそれぞれは、同一の検査に属する複数のシリーズのそれぞれのシリーズにもとづく撮像から得られた画像群であり、
前記並び順情報は、
複数のシリーズのそれぞれのシリーズＩＤの並び順を規定する、
請求項３ないし９のいずれか１項に記載の医用情報表示装置。
【請求項１１】
医用情報を医用情報表示装置がリストで表示部に表示させる際の前記医用情報の並び順を規定する医用情報供給装置であって、
前記医用情報表示装置が前記医用情報を前記リストで前記表示部に表示させる際の並び順を規定した並び順情報を生成する並び順情報生成部と、
前記並び順情報を転送する転送部と、
を備えた医用情報供給装置。
【請求項１２】
複数の医用画像を生成する画像生成部、
をさらに備え、
前記転送部は、
さらに前記複数の医用画像を転送するとともに、前記複数の医用画像のそれぞれの医用画像を所定の順序で転送しているとき、前記医用情報表示装置からの指示に応じて未転送の医用画像の転送の順番を早める、
請求項１１記載の医用情報供給装置。
【請求項１３】
医用情報供給装置と、データベースと、医用情報表示装置とを備えた医用情報表示システムであって、
前記医用情報供給装置は、
医用情報の並び順を規定した並び順情報を生成する並び順情報生成部と、
前記並び順情報を前記データベースに転送する転送部と、
を有し、
前記医用情報表示装置は、
前記並び順情報を取得する取得部と、
前医用情報の並び順が、前記並び順情報に規定された並び順となるよう、前記医用情報のリストを生成して表示部に表示させるリスト生成部と、
を有する、
医用情報表示システム。
【発明の詳細な説明】
【技術分野】
【０００１】
本発明の実施形態は、医用情報表示装置、医用情報供給装置および医用情報表示システムに関する。
【背景技術】
【０００２】
医用画像を生成する医用画像診断装置（以下、モダリティという）のユーザは、モダリティが生成した医用画像を示す情報などの医用情報をモダリティの表示部でリスト表示することができる。医用情報としては、医用画像そのもの、医用画像のサムネイル、医用画像の識別情報（ＩＤ）などが挙げられる。
【０００３】
モダリティのユーザは、観察の効率を向上させるべく、医用情報を各自の所望の順序に並べてリスト表示させることができる。
【０００４】
また、最近、画像情報をデータベースにより一元的に管理する医用画像保存通信システム（ＰＡＣＳ：Picture Archiving and Communication System for medical application）が普及してきている。
【０００５】
ＰＡＣＳによれば、データベースに保管された医用画像の観察者は、データベースに直接接続されたディスプレイやデータベースにネットワーク接続されたディスプレイ（ＰＡＣＳビューワ）などのディスプレイを含む医用情報表示装置を介してこれらの医用画像を参照することができる。
【０００６】
しかし、医用情報表示装置を介してデータベースに保管された医用画像を観察する際には、医用情報は、モダリティのユーザが観察した際のリスト表示の順序とは異なる順序でリスト表示されてしまうことがある。これは、医用情報のリスト表示の並び順の優先度が、モダリティと医用情報表示装置とで異なってしまうことが原因である。このため、たとえモダリティで医用情報のリストが観察に最適な順序で表示されていたとしても、医用画像がデータベースに転送され、医用情報表示装置を介して医用情報のリストを表示させると、モダリティでの順序とは異なる順序で表示されてしまうことがあり、大変不便である。
【先行技術文献】
【特許文献】
【０００７】
【特許文献１】特開２００７−２６００６１号公報
【発明の概要】
【発明が解決しようとする課題】
【０００８】
本発明が解決しようとする課題は、データベースに転送された医用画像を医用情報表示装置でリスト表示する際の並び順を、モダリティで定義した並び順に一致させることである。
【課題を解決するための手段】
【０００９】
実施形態に係る医用情報表示装置は、取得部と、リスト生成部とを備える。取得部は、医用情報のリストの並び順が示された並び順情報と、医用情報とを取得する。リスト生成部は、取得した医用情報と並び順情報に基づいて医用情報のリストを生成し、当該医用情報のリストを表示部に表示させる。
【図面の簡単な説明】
【００１０】
【図１】医用情報表示システムの一例を示すブロック図。
【図２】（ａ）は医用情報表示装置の第１の態様、（ｂ）は第２の態様、（ｃ）は第３の態様、（ｄ）は第４の態様の一例をそれぞれ示す説明図。
【図３】従来の医用情報表示装置によるシリーズＩＤの並び順の一例を示す説明図。
【図４】医用情報表示システムの医用情報表示装置により生成されるリスト画像用の表示枠群の一例を示す説明図。
【図５】医用情報表示システムの医用情報表示装置によるシリーズＩＤの並び順の一例を示す説明図。
【図６】図５に示す例において、さらにスタディの受信状況を表示する場合の一例を示す説明図。
【図７】プライベートタグに含まれる並び順情報の一例を示す説明図。
【図８】図７に示す例において、モダリティで新たなシリーズの撮影が実行された場合における、変更後の画像管理テーブルの一例を示す説明図。
【図９】新たに追加されたシリーズと変更された画像管理テーブルがリスト画像に反映される様子の一例を示す説明図。
【図１０】モダリティで記憶回路から削除されたシリーズがある場合に、削除された旨の情報がリスト画像に重畳される場合の表示例を示す説明図。
【図１１】リスト画像のシリーズのうち未受信のシリーズの転送の順番を、ユーザの指示に応じて早める場合におけるモダリティおよびＰＡＣＳの処理とリスト画像の表示内容との関係の一例を示すシーケンスチャート。
【発明を実施するための形態】
【００１１】
以下、図面を参照しながら、医用情報表示装置、医用情報供給装置および医用情報表示システムの実施形態について詳細に説明する。
【００１２】
図１は、医用情報表示システム１の一例を示すブロック図である。医用情報表示システム１は、モダリティ１０と、ＰＡＣＳ２０とを有する。
【００１３】
モダリティ１０としては、たとえば、Ｘ線ＣＴ（Computed Tomography）、磁気共鳴イメージング（ＭＲＩ：Magnetic Resonance Imaging）装置、Ｘ線診断装置、核医学診断装置、超音波診断装置などを用いることができる。モダリティ１０は、医用情報供給装置の一例である。
【００１４】
モダリティ１０は、画像データを生成する撮像装置１１と、画像データにもとづいて医用画像を生成しネットワーク１００を介してＰＡＣＳ２０に転送する画像処理装置１２とを有する。
【００１５】
画像処理装置１２は、入力インターフェース１３、ディスプレイ１４、記憶回路１５、および処理回路１６を有する。
【００１６】
入力インターフェース１３は、たとえばトラックボール、スイッチボタン、マウス、キーボード、テンキーなどの一般的な入力装置により構成され、ユーザの操作に対応した操作入力信号を処理回路１６に出力する。ディスプレイ１４は、たとえば液晶ディスプレイやＯＬＥＤ（Organic Light Emitting Diode）ディスプレイなどの一般的な表示出力装置により構成される。
【００１７】
記憶回路１５は、磁気的もしくは光学的記録媒体または半導体メモリなどの、プロセッサにより読み取り可能な記録媒体を含んだ構成を有し、たとえば処理回路１６が利用するプログラムを記憶する。
【００１８】
処理回路１６は、記憶回路１５に記憶されたプログラムを読み出して実行することにより、データベース３４に転送された医用画像を医用情報表示装置２でリスト表示する際の並び順を、モダリティ１０で定義した並び順に一致させるための処理を実行するプロセッサである。
【００１９】
図１に示すように、モダリティ１０の処理回路１６のプロセッサは、画像生成機能１６１、並び順情報生成機能１６２、および転送機能１６３を実現する。これらの各機能はそれぞれプログラムの形態で記憶回路１５に記憶されている。
【００２０】
画像生成機能１６１は、撮像装置１１を制御して被検体の撮像を実行させ、撮像結果にもとづいて医用画像を生成する。画像生成機能１６１は、たとえば、１つの検査種（スタディ）ごとに複数の撮像種（シリーズ）の撮影を撮像装置１１に実行させる。
【００２１】
画像生成機能１６１は、医用画像に付帯情報を付加してもよい。付帯情報を定義する規格としては、ＤＩＣＯＭ（Digtal Imaging and Communications in Medicine）規格などがある。付帯情報には、たとえば各シリーズの撮影が行われた順序を示す情報（シリーズインスタンスＵＩＤ）が含まれる。
【００２２】
並び順情報生成機能１６２は、医用情報をリストでＰＡＣＳ２０のディスプレイ３２、４２に表示させる際の並び順を規定した並び順情報を生成する。並び順情報は、リストに含まれる複数の医用情報と当該複数の医用情報それぞれの並び順位とを関連付けた情報である。また、並び順情報には、さらに医用画像が関連付けられてもよい。
【００２３】
具体的には、並び順情報生成機能１６２は、まず、モダリティ１０のディスプレイ１４に医用情報のリスト画像を表示させる際の並び順を設定する。この並び順は、記憶回路１５にあらかじめ記憶された条件に従って設定してもよいし、ディスプレイ１４に仮のリストを表示し、モダリティ１０のユーザにより入力インターフェース１３を介してこの仮のリストの順序を所望の順序に調整されたとおりに設定してもよい。
【００２４】
並び順情報生成機能１６２は、モダリティ１０のディスプレイ１４に医用情報のリストを表示させるために設定した並び順を、ＰＡＣＳ２０のディスプレイ３２、４２に表示させる際の並び順として規定するように、並び順情報を生成する。医用情報表示システム１は、この並び順情報を利用することにより、ＰＡＣＳ２０のディスプレイ３２、４２における医用情報の並び順を、モダリティ１０のディスプレイ１４における並び順に容易かつ正確に一致させることができる。
【００２５】
以下の説明では、医用画像をシリーズ単位で扱う場合の例を示す。この例では、医用情報は医用画像が属するシリーズを示す（特定する）情報（たとえばシリーズの識別情報（シリーズＩＤ））であり、モダリティ１０の並び順情報生成機能１６２は、シリーズを示す情報のリストの並び順を定義する。
【００２６】
並び順情報生成機能１６２は、並び順情報を、付帯情報として医用画像に付帯させてもよいし、医用画像とは別個の独立したデータとしてもよい。並び順情報の詳細については図７を参照して後述する。
【００２７】
転送機能１６３は、複数の医用画像と、医用情報と、並び順情報とを、ネットワーク１００を介してＰＡＣＳ２０のデータベース３４に転送する。並び順情報が付帯情報として医用画像に付帯する場合、並び順情報は、複数の医用画像をデータベース３４に転送開始するとともに最初の医用画像とともにデータベース３４に転送されることになる。また、並び順情報が医用画像とは別個の独立した情報として生成される場合は、並び順情報は、複数の医用画像をデータベース３４に転送開始するとき、またはその前に、データベース３４に転送されるとよい。
【００２８】
なお、転送機能１６３はさらに、医用画像の付帯情報を転送してもよい。付帯情報は、たとえば医用画像の識別情報（ＩＤ）、医用画像のサムネイル、患者名、患者ＩＤ、性別、生年月日、検査日、検査種別、撮影条件を含む。この場合、この付帯情報を医用情報として扱ってもよい。
【００２９】
ＰＡＣＳ２０は、データベース３４を有する画像保管装置３０と、表示端末４０とを有する。
【００３０】
画像保管装置３０は、入力インターフェース３１、ディスプレイ３２、記憶回路３３、データベース３４、および処理回路３５を有する。入力インターフェース３１、ディスプレイ３２、および記憶回路３３の構成は入力インターフェース１３、ディスプレイ１４、および記憶回路１５の構成とそれぞれ同等であるため説明を省略する。なお、画像保管装置３０は入力インターフェース３１およびディスプレイ３２を備えずともよい。
【００３１】
データベース３４は、モダリティ１０から転送された複数の医用画像と並び順情報とを保管する。
【００３２】
画像保管装置３０の処理回路３５は、記憶回路３３に記憶されたプログラムを読み出して実行することにより、データベース３４に転送された医用画像を医用情報表示装置２でリスト表示する際の並び順を、モダリティ１０で定義した並び順に一致させるための処理を実行するプロセッサである。
【００３３】
図１に示すように、画像保管装置３０の処理回路３５のプロセッサは、受信機能３５１、並び順情報取得機能３５２、リスト画像生成機能３５３および医用画像保管機能３５４を実現する。これらの各機能はそれぞれプログラムの形態で記憶回路３３に記憶されている。
【００３４】
受信機能３５１は、モダリティ１０と通信し、モダリティ１０から複数の医用画像と医用情報と並び順情報とを受信する。
【００３５】
並び順情報取得機能３５２は、受信機能３５１から並び順情報に含まれる医用情報を取得する。このとき、並び順情報取得機能３５２はさらに医用画像を取得してもよい。また、並び順情報取得機能３５２は、モダリティ１０で生成された並び順情報を、データベース３４から、または受信機能３５１を介してモダリティ１０から直接に取得する。
【００３６】
リスト画像生成機能３５３は、複数の医用画像のそれぞれの医用情報の並び順が並び順情報に規定された並び順となるよう、医用情報のリスト画像を生成してディスプレイ３２または表示端末４０のディスプレイ４２に表示させる。
【００３７】
医用画像保管機能３５４は、モダリティ１０から受信した複数の医用画像と並び順情報とをデータベース３４に保管させる。
【００３８】
表示端末４０は、入力インターフェース４１、ディスプレイ４２、記憶回路４３、および処理回路４４を有する。入力インターフェース４１、ディスプレイ４２、および記憶回路４３の構成は入力インターフェース１３、ディスプレイ１４、および記憶回路１５の構成とそれぞれ同等であるため説明を省略する。
【００３９】
表示端末４０の処理回路４４は、記憶回路４３に記憶されたプログラムを読み出して実行することにより、データベース３４に転送された医用画像を医用情報表示装置２でリスト表示する際の並び順を、モダリティ１０で定義した並び順に一致させるための処理を実行するプロセッサである。
【００４０】
図１に示すように、表示端末４０の処理回路４４のプロセッサは、並び順情報取得機能４４１およびリスト画像生成機能４４２を実現する。これらの各機能はそれぞれプログラムの形態で記憶回路４３に記憶されている。
【００４１】
並び順情報取得機能４４１は、モダリティ１０で生成された並び順情報を、並び順情報に含まれる医用情報とともにデータベース３４から取得する。このとき、並び順情報取得機能４４１はさらに医用画像を取得してもよい。
【００４２】
リスト画像生成機能４４２は、複数の医用画像のそれぞれの医用情報の並び順が並び順情報に規定された並び順となるよう、医用情報のリスト画像を生成して画像保管装置３０のディスプレイ３２または表示端末４０のディスプレイ４２に表示させる。
【００４３】
医用情報表示装置２は、第１の態様として、画像保管装置３０の処理回路３５の並び順情報取得機能３５２およびリスト画像生成機能３５３と画像保管装置３０のディスプレイ３２によって構成され得る（図２（ａ）参照）。また、医用情報表示装置２は、第２の態様として、表示端末４０の処理回路４４の並び順情報取得機能４４１およびリスト画像生成機能４４２と表示端末４０のディスプレイ４２によって構成され得る（図２（ｂ）参照）。また、医用情報表示装置２は、第３の態様として、表示端末４０の処理回路４４の並び順情報取得機能４４１およびリスト画像生成機能４４２と画像保管装置３０のディスプレイ３２によって構成され得る（図２（ｃ）参照）。また、医用情報表示装置２は、第４の態様として、画像保管装置３０の処理回路３５の並び順情報取得機能３５２およびリスト画像生成機能３５３と表示端末４０のディスプレイ４２によって構成され得る（図２（ｄ）参照）。医用情報表示装置２は、これらの第１−第４の態様の少なくとも１つの態様で実現される。なお、画像保管装置３０がディスプレイ３２を備えない場合は、医用情報表示装置２は第２の態様および第４の態様の少なくとも一方で実現される。
【００４４】
続いて、医用情報表示システム１の医用情報表示装置２による医用情報の並び順制御について説明する。なお、以下の説明では、医用情報がシリーズＩＤであり、医用情報のリストがシリーズＩＤのリストである場合の例について示す。
【００４５】
図３は、従来の医用情報表示装置２によるシリーズＩＤの並び順の一例を示す説明図である。
【００４６】
従来から、モダリティでは、上記のとおり、ある検査種（スタディ）ＡＡＡに属する複数の撮像種（シリーズ）がある場合には、各シリーズには、各シリーズの撮影が行われた順序を示すＩＤが付されるようになっている。また、ユーザは、従来から、モダリティにおいてシリーズＩＤの並び順を所望の順序に調整することができた。図３の左上には、ユーザがシリーズ番号を５、４、１、２、６の順に並べて表示するように調整した場合の例を示した。
【００４７】
しかし、従来の技術では、モダリティからデータベースへシリーズが転送され、医用情報表示装置２がデータベースを参照してシリーズＩＤをリスト表示する場合には、医用情報表示装置２の設定に応じてリストの並び順が決定されてしまう。図３の右下には、医用情報表示装置２がシリーズＩＤ順に並べるように設定されている場合の例を示した。このように、従来の技術では、医用情報表示装置２のディスプレイにおけるシリーズＩＤの並び順は、モダリティ１０のディスプレイ１４における並び順と全く異なってしまう場合がある。
【００４８】
また、モダリティからデータベースへ複数のシリーズが順に転送されていく途中においては、ユーザは、医用情報表示装置２のディスプレイを確認しても、スタディＡＡＡに属するスタディがあといくつ転送されてくるのかが不明であるとともに、データベースにおけるスタディＡＡＡに属するスタディの受信状況については知るべくもない（図３の右上参照）。
【００４９】
一方、医用情報表示システム１は、図１に示す構成を有することにより、医用情報表示装置２のディスプレイ３２、４２における医用情報の並び順（たとえばシリーズＩＤの並び順）を、モダリティ１０のディスプレイ１４における並び順に容易かつ正確に一致させることができる。
【００５０】
図４は、医用情報表示システム１の医用情報表示装置２により生成されるリスト画像５１用の表示枠群５０の一例を示す説明図である。
【００５１】
画像保管装置３０のリスト画像生成機能３５３または表示端末４０のリスト画像生成機能４４２は、表示枠群５０を生成する。表示枠群５０は、並び順情報に従って、並び順情報に含まれる医用画像の数と同数の表示枠５０−ｎ（ただしｎは正の整数）を有する要生成される。このとき、リスト画像生成機能３５３またはリスト画像生成機能４４２は、各表示枠５０−ｎに順位を付加しておく。図４には、並び順情報に５つのシリーズＩＤが含まれ、リスト画像生成機能３５３またはリスト画像生成機能４４２が５つの表示枠５０−１、５０−２、・・・、５０−５を有する表示枠群５０を生成する場合の例を示した。
【００５２】
図５は、医用情報表示システム１の医用情報表示装置２によるシリーズＩＤの並び順の一例を示す説明図である。
【００５３】
リスト画像生成機能３５３またはリスト画像生成機能４４２は、並び順情報に従って、シリーズＩＤのそれぞれを、その並び順位（図５の左上の並び順参照）に対応する順位（図４参照）が付加された表示枠５０−１〜５０−５に配置することにより、シリーズＩＤのリスト画像５１を生成してディスプレイ３２または４２に表示させる。
【００５４】
並び順情報を利用することにより、リスト画像生成機能３５３またはリスト画像生成機能４４２は、医用情報表示装置２のディスプレイ３２、４２における医用情報の並び順（たとえばシリーズＩＤの並び順）と、モダリティ１０のディスプレイ１４における並び順とを容易かつ正確に一致させることができる。
【００５５】
また、表示枠群５０を利用することにより、モダリティ１０からデータベース３４へ複数のシリーズが順に転送されていく途中においても、ユーザは、転送開始直後から表示枠群５０と各表示枠５０−１〜５０−５に配置されたシリーズＩＤを確認することができるため、容易に、スタディＡＡＡに属するシリーズの総数を把握することができる。
【００５６】
また、リスト画像生成機能３５３またはリスト画像生成機能４４２は、データベース３４におけるスタディＡＡＡに属するスタディの受信状況を表示してもよい。
【００５７】
図６は、図５に示す例において、さらにスタディの受信状況を表示する場合の一例を示す説明図である。なお、以下の説明では、シリーズの転送順序が並び順情報の並び順位通りである場合の例を示す。
【００５８】
データベース３４におけるスタディの受信状況を表示する場合、たとえば、図６に示すように、リスト画像５１の医用情報と当該医用情報が配置された表示枠５０−１〜５０−５との少なくとも一方を、当該医用画像をデータベース３４がモダリティ１０から受信中か、受信済みか、または未受信かのいずれの受信状況にあるかを識別可能な態様で表示する。この場合、ユーザは、データベース３４におけるスタディＡＡＡに属するスタディの受信状況を容易に直感的に把握することができる。
【００５９】
続いて、並び順情報について説明する。
【００６０】
並び順情報は、モダリティ１０の並び順情報生成機能１６２により生成される。この並び順情報は、医用情報表示装置２の並び順情報取得機能３５２または４４１により取得されて、設定ファイルに書き込まれる。設定ファイル（コンフィギュレーションファイル）は、たとえば記憶回路３３または４３に記憶される。リスト画像生成機能３５３または４４２は、設定ファイルを参照して医用情報の並び順を決定する。
【００６１】
並び順情報は、付帯情報として医用画像に付帯させてもよいし、医用画像とは別個の独立したデータとしてもよい。付帯情報として医用画像に付帯させる場合は、並び順情報はＤＩＣＯＭ規格に準拠したプライベートタグに含まれてもよいし、標準タグに含まれてもよい。
【００６２】
図７は、プライベートタグに含まれる並び順情報の一例を示す説明図である。図７には、プライベートタグとして画像管理タグを用意し、当該タグに並び順情報として画像管理テーブル６０が含まれる場合の例を示した。
【００６３】
図７に示すように、並び順情報が医用画像のプライベートタグに含まれる場合や並び順情報が医用画像とは別個の独立したデータの場合は、標準タグの情報を変更することなく、医用情報表示装置２のディスプレイ３２、４２における医用情報の並び順とモダリティ１０のディスプレイ１４における並び順とを一致させることができる。この場合、モダリティ１０の処理回路１６は、並び順情報取得機能３５２およびリスト画像生成機能３５３を実現可能に構成されるとよい。この場合、データベース３４からモダリティ１０に医用画像と並び順情報とを転送した場合、モダリティ１０は、医用情報の並び順が並び順情報に規定された並び順となるよう、医用情報のリスト画像を再現することができる。
【００６４】
なお、並び順情報が医用画像とは別個の独立したデータの場合は、一連の医用画像転送に１つの並び順情報を転送すればよい。たとえば、複数のシリーズを含む１スタディを転送するとき、モダリティ１０は１つのテーブルを作成してデータベース３４に送信すればよい。また、独立したデータの場合、ネットワーク１００に接続された図示しない情報処理装置で当該テーブルファイルを作成してもよい。この場合、モダリティ１０からデータベース３４にシリーズを転送するときに当該情報処理装置にアクセスして当該テーブルファイルをデータベース３４に与えればよい。
【００６５】
また、医用情報表示システム１は、複数の医用画像に対してモダリティ１０で新たな医用画像が追加されても、あるいは複数の医用画像の一部がモダリティ１０で削除されても、医用情報表示装置２のディスプレイ３２、４２における医用情報の並び順を破綻させることなく維持することができる。
【００６６】
図８は、図７に示す例において、モダリティ１０で新たなシリーズの撮影が実行された場合における、変更後の画像管理テーブル６０の一例を示す説明図である。また、図９は、新たに追加されたシリーズと変更された画像管理テーブル６０がリスト画像５１に反映される様子の一例を示す説明図である。
【００６７】
モダリティ１０により、複数の医用画像と同一リストに表示すべき新たな医用画像が生成された場合、すなわち、スタディＡＡＡに属する新たなシリーズ（シリーズ番号は７）が生成された場合を考える。この場合、モダリティ１０の並び順情報生成機能１６２は、新たなシリーズを含む新たな並び順を規定するよう画像管理テーブル６０を更新する（図８参照）。画像管理テーブル６０の更新は、あらかじめ記憶された条件に従って行われてもよいし、ディスプレイ１４に仮のリストを表示し、モダリティ１０のユーザにより入力インターフェース１３を介してこの仮のリストの順序を所望の順序に調整されて更新されてもよい。
【００６８】
モダリティ１０の転送機能１６３は、新たなシリーズの画像管理テーブルタグに変更後の画像管理テーブル６０を付帯させて、新たなシリーズをデータベース３４に転送する。
【００６９】
医用情報表示装置２の並び順情報取得機能３５２または４４１は、変更後の画像管理テーブル６０で設定ファイルを更新する。そして、リスト画像生成機能３５３または４４２は、設定ファイルを参照して医用情報の並び順を決定し、リスト画像５１を更新する（図９参照）。
【００７０】
このように、モダリティ１０で新たな医用画像が生成された場合であっても、並び順情報（画像管理テーブル６０など）を更新することで、医用情報表示装置２のディスプレイ３２、４２における医用情報の並び順を非常に容易に維持することができる。
【００７１】
図１０は、モダリティ１０で記憶回路１５から削除されたシリーズがある場合に、削除された旨の情報７０がリスト画像５１に重畳される場合の表示例を示す説明図である。
【００７２】
モダリティ１０の記憶回路１５に記憶された医用画像は、データベース３４に転送された後に、削除されることがある。医用画像の削除は、たとえばモダリティ１０の記憶回路１５の記憶容量を有効活用するために行われる。
【００７３】
データベース３４は、医用画像を保管することを目的として設置される。このため、モダリティ１０の記憶回路１５から医用画像が削除された場合であっても、原則としてデータベース３４から当該医用画像が削除されるべきではない。したがって、リスト画像５１には何らの変更を加えなくてもよい。
【００７４】
また、当該医用画像がモダリティ１０から削除された旨の情報を示す文字列、図形（図１０参照）などをリスト画像５１に重畳してもよい。ただしこの場合、モダリティ１０は、当該医用画像がモダリティ１０から削除された旨の情報をデータベース３４に与える必要がある。
【００７５】
並び順情報が医用画像とは別個の独立したデータである場合には、並び順情報に当該医用画像がモダリティ１０から削除された旨の情報を含めて並び順情報だけをデータベース３４に与えればよいし、削除された旨の情報を並び順情報とは別にデータベース３４に与えてもよい。
【００７６】
並び順情報が付帯情報として各シリーズに付加される場合には、モダリティ１０からシリーズが削除されただけでは、データベース３４に送信すべきシリーズはなく、したがってこの時点では並び順情報はデータベース３４に与えられない。この場合、モダリティ１０の転送機能１６３は、当該医用画像がモダリティ１０から削除された旨の情報を、並び順情報とは別にデータベース３４に与えてもよい。その後、新たなシリーズが追加されたタイミングがくれば（図８、図９参照）、新たなシリーズに付帯される並び順情報に対して、当該医用画像がモダリティ１０から削除された旨の情報を含めることが可能となる。
【００７７】
図８−９を参照して以上説明したとおり、複数の医用画像に対してモダリティ１０で新たな医用画像が追加され、あるいは既存の医用画像が削除されても、医用情報表示装置２のディスプレイ３２、４２における医用情報の並び順を破綻させることなく維持することができる。さらに、たとえモダリティ１０において並び順が大幅に変更された場合であっても、変更を反映した並び順情報をモダリティ１０からデータベース３４に転送することで、医用情報表示装置２のディスプレイ３２、４２における医用情報の並び順と、モダリティ１０のディスプレイ１４における並び順に容易かつ正確に一致させることができる。
【００７８】
続いて、リスト画像５１を用いてＰＡＣＳ２０からモダリティ１０に転送順序の変更要求を行う方法について説明する。
【００７９】
図５および図６に示すように、医用情報表示システム１は、表示枠群５０を利用することにより、モダリティ１０からデータベース３４への複数シリーズの転送開始直後から、転送予定のシリーズを容易に把握することができる。
【００８０】
そこで、医用情報表示システム１は、ユーザの利便性をさらに高めるため、リスト画像５１のシリーズのうち未受信のシリーズの転送の順番を、ユーザの指示に応じて早めることを可能にする。
【００８１】
図１１は、リスト画像５１のシリーズのうち未受信のシリーズの転送の順番を、ユーザの指示に応じて早める場合におけるモダリティ１０およびＰＡＣＳ２０の処理とリスト画像５１の表示内容との関係の一例を示すシーケンスチャート図である。
【００８２】
モダリティ１０の転送機能１６３が、データベース３４へ並び順情報を転送し、複数の医用画像の転送を開始すると、医用情報表示装置２のリスト画像生成機能３５３またはリスト画像生成機能４４２は、並び順情報に従って、各スタディの受信状況が識別可能な態様でリスト画像５１を生成する。
【００８３】
リスト画像５１を確認したユーザが、次に転送される予定のシリーズ番号４のシリーズよりも先に、シリーズ番号１のシリーズの画像を確認したい場合、ユーザは、リスト画像５１のシリーズ番号１を、入力インターフェース３１または４１を介して選択する。このような場合として、たとえばシリーズ番号４、５が造影剤なしの撮像であり、シリーズ番号１、２が造影剤ありの撮像であり、ユーザが造影剤ありの撮像で得られた画像を先に確認したい場合が考えられる。
【００８４】
ユーザにより未受信のシリーズが選択されると、選択されたシリーズの転送順序を変更すべき旨の要求がモダリティ１０に与えられる。すると、モダリティ１０の転送機能１６３は、並び順情報の順序でシリーズをデータベース３４に転送しているときに、この医用情報表示装置２からの指示に応じて、選択された未転送のシリーズの転送の順番を変更し（早め）、画像の転送を継続する。
【００８５】
以上の処理により、リスト画像５１を利用して、ＰＡＣＳ２０側からのユーザの指示に応じて、未受信のシリーズの転送の順番を、モダリティ１０に変更させることができる。
【００８６】
なお、以上の説明では、医用画像をシリーズ単位で扱う場合の例であって、医用情報がシリーズを示す（識別する）情報である場合の例を示したが、医用画像は医用画像単位であつかわれてもよいし、医用画像が属する検査（スタディ）単位であつかわれてもよい。医用画像を医用画像単位で扱う場合、医用情報は医用画像を示す情報である。医用画像を示す情報としては、医用画像そのもの、医用画像のサムネイル、医用画像の識別情報（ＩＤ）などを用いることができる。また、医用画像を検査単位で扱う場合には、医用情報は検査を示す情報である。
【００８７】
また、医用情報のリストは、検査ＩＤとシリーズＩＤが混在したリストなど、異なる種類の医用情報を含むリストであってもよい。
【００８８】
以上説明した少なくとも１つの実施形態によれば、データベース３４に転送された医用画像を医用情報表示装置２でリスト表示する際の並び順を、モダリティ１０で定義した並び順に一致させることができる。
【００８９】
なお、本実施形態における画像保管装置３０の処理回路３５の並び順情報取得機能３５２および表示端末４０の処理回路４４の並び順情報取得機能４４１は、特許請求の範囲における取得部の一例である。また、画像保管装置３０の処理回路３５のリスト画像生成機能３５３および表示端末４０の処理回路４４のリスト画像生成機能４４２は、特許請求の範囲におけるリスト画像生成部の一例である。
【００９０】
また、上記実施形態において、「プロセッサ」という文言は、たとえば、専用または汎用のＣＰＵ（Central Processing Unit）、ＧＰＵ（Graphics Processing Unit）、または、特定用途向け集積回路（Application Specific Integrated Circuit：ＡＳＩＣ）、プログラマブル論理デバイス（たとえば、単純プログラマブル論理デバイス（Simple Programmable Logic Device：ＳＰＬＤ）、複合プログラマブル論理デバイス（Complex Programmable Logic Device：ＣＰＬＤ）、およびＦＰＧＡ）等の回路を意味するものとする。プロセッサは、記憶媒体に保存されたプログラムを読み出して実行することにより、各種機能を実現する。
【００９１】
また、上記実施形態では処理回路の単一のプロセッサが各機能を実現する場合の例について示したが、複数の独立したプロセッサを組み合わせて処理回路を構成し、各プロセッサが各機能を実現してもよい。また、プロセッサが複数設けられる場合、プログラムを記憶する記憶媒体は、プロセッサごとに個別に設けられてもよいし、１つの記憶媒体が全てのプロセッサの機能に対応するプログラムを一括して記憶してもよい。
【００９２】
なお、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００９３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【符号の説明】
【００９４】
１  医用情報表示システム
２  医用情報表示装置
１０  モダリティ
２０  ＰＡＣＳ
３０  画像保管装置
３２、４２  医用情報表示装置のディスプレイ
３４  データベース
４０  表示端末
４１  入力インターフェース
５０  表示枠群
５０−１、５０−２、５０−３、５０−４、５０−５  表示枠
５１  リスト画像
６０  画像管理テーブル
７０  モダリティから削除した旨の情報
１００  ネットワーク
１６１  画像生成機能
１６２  並び順情報生成機能
１６３  転送機能
３５２、４４１  並び順情報取得機能
３５３、４４２  リスト画像生成機能
【図１】
2020009313.tif 000003
【図２】
2020009313.tif 000004
【図３】
2020009313.tif 000005
【図４】
2020009313.tif 000006
【図５】
2020009313.tif 000007
【図６】
2020009313.tif 000008
【図７】
2020009313.tif 000009
【図８】
2020009313.tif 000010
【図９】
2020009313.tif 000011
【図１０】
2020009313.tif 000012
【図１１】
2020009313.tif 000013